(57)【要約】【課題】磁気カードを案内するガイドレールを簡単に着脱し得る様に構成する事を目的とする。装着し得る様に構成する事を目的とする。【解決手段】フレーム６に装着した左右一対のガイドレール２６，４１によって磁気カードを水平方向に搬送するものにおいて、一方のガイドレール４１をフレームに固定すると共に、他方のガイドレール２６をフレームに左右方向に移動自在に装着し、かつ少なくとも他方のガイドレールを弾性材料で構成し、このガイドレールに自身を一方のガイドレールに向けて付勢する弾性片２８，２９を一体成形して成るものである。【選択図】    図１
2004157844.tif 000002
【特許請求の範囲】
【請求項１】
フレームに装着した左右一対のガイドレールによって磁気カードを水平方向に搬送するものにおいて、上記一方のガイドレールを上記フレームに固定すると共に、他方のガイドレールを上記フレームに左右方向に移動自在に装着し、かつ少なくとも上記他方のガイドレールを弾性材料で構成し、このガイドレールに自身を上記一方のガイドレールに向けて付勢する弾性片を一体成形した事を特徴とする磁気カードリーダ。
【請求項２】
上記少なくとも他方のガイドレールを、上記フレームの上端部に内側に向けて折曲形成した載置部に装着すると共に、このフレームの外側面に上端部を上記フレームの上端より上方に突出して回路基板を装着し、かつ上記ガイドレールの弾性片を上記回路基板に当接して支持した事を特徴とする、上記請求項１に記載の磁気カードリーダ。
【請求項３】
上記フレームの載置部に、内側が開口した係入孔と上面に向けて開口した挿入孔を各々形成すると共に、上記他方のガイドレールの載置部に、各々上記係入孔に又は挿入孔に係入する係入片を形成した事を特徴とする、上記請求項１に記載の磁気カードリーダ。
【請求項４】
上記ガイドレールの、少なくとも磁気カードの挿入孔に最も近い係入片の先端に、上記係入片の幅よりも太い抜止片を形成した事を特徴とする、上記請求項３に記載の磁気カードリーダ。
【発明の詳細な説明】
【０００１】
【発明の属する技術分野】
本発明は、プリペイドカード等の磁気カードに磁気データを記録したり、記録されたデータを読み出す磁気カードリーダに関する。
【０００２】
【従来の技術】
プリペイドカードや銀行カード等の磁気カードに磁気データを記録、及び磁気カードに記録された磁気データを読み取る磁気カードリーダでは、例えば特許文献１に示される様に、断面がコ字状の左右一対のガイドに案内させて磁気カードを搬送する様に構成している。
【０００３】
【特許文献１】
特開平８−１９５００６号公報
【０００４】
【発明が解決しようとする課題】
一方、上記特許文献１に示される構成では、バネ３７を使ってガイド３６ａ，３６ｂを内側に付勢する様に構成し、かつこれらを図３に示される様な取付け部材に収納状態に装着する為、組み立て時の作業性が悪いという問題がある。
【０００５】
そこで本発明は、磁気カードを搬送時にガイドするガイドレールの組み立て時の作業性を向上する事を目的とするものである。
【０００６】
【課題を解決するための手段】
本発明は、フレームに装着した左右一対のガイドレールによって磁気カードを水平方向に搬送するものにおいて、一方のガイドレールをフレームに固定すると共に、他方のガイドレールをフレームに左右方向に移動自在に装着し、かつ少なくとも他方のガイドレールを弾性材料で構成し、このガイドレールに自身を一方のガイドレールに向けて付勢する弾性片を一体成形して成るものである。
【０００７】
又本発明は、少なくとも他方のガイドレールをフレームの上端部に内側に向けて折曲形成した載置部に装着すると共に、このフレームの外側面に上端部をフレームの上端より上方に突出して回路基板を装着し、かつガイドレールの弾性片を回路基板に当接して支持して成るものである。
【０００８】
そして又本発明は、フレームの載置部に、内側が開口した係入孔と上面に向けて開口した挿入孔を各々形成すると共に、他方のガイドレールの載置部に、各々係入孔に又は挿入孔に係入する係入片を形成して成るものである。
【０００９】
更に本発明は、ガイドレールの、少なくとも磁気カードの挿入孔に最も近い係入片の先端に、係入片の幅よりも太い抜止片を形成して成るものである。
【００１０】
【発明の実施の形態】
本発明の実施例を、先ず図１に基づき説明すると、１は樹脂製の本体ケースで、下ケース２と、この下ケースの後端上部に一体形成されたヒンジ部３，３にて開閉自在に枢支された上ケース４とで構成している。
【００１１】
５は上記下ケース２内に収納装着された下ユニットで、図２にても示す様に一対の板金製支持フレーム６ａ，６ｂを相対向して立設して構成した下フレーム６と、この下フレームに回転自在に支持した複数のローラ軸７・・と、これらローラ軸に各々一体回転状態で装着された複数のローラ８・・と、上記ローラ軸の端部に一体回転状態に装着された複数の歯車９・・と、モータ１０の回転を歯車１１により減速して駆動軸１２に伝達し、この駆動軸の回転を上記複数の歯車９・・に伝達するタイミングベルト１３等で構成している。尚、上記駆動軸１２にもローラ８を装着し、ローラ軸を兼用する様に構成している。
【００１２】
１４は上記下ユニット５に、その後端部にて開閉自在に枢支された上ユニットで、上記上ケース４内に収納して装着されていると共に、上記下フレーム６の後端部に立設された左右一対のヒンジ部１５，１５にて枢支軸１６により開閉自在に支持された上フレーム１７と、この上フレームにて上記各ローラ８・・及び下フレーム６に固定された磁気ヘッド１８に各々対向位置して回転自在に枢支した複数のローラ１９・・にて主に構成している。
【００１３】
一方、上記下フレーム６の左右一対の支持フレーム６ａ，６ｂ上端部には、該部を内側に向けて略直角に折り曲げて載置部２０，２１を形成していると共に、載置部２０には内側を開口した係入孔２２，２３と、上面を開口した挿入孔２４，２５を切欠き形成している。
【００１４】
２６は上記支持フレーム６ａの載置部２０に着脱自在に装着され、かつ装着時には横方向に移動可能に支持される樹脂材にて成形したガイドレールで、図３にても示す様に、内側面に磁気カードを案内するガイド溝２７を形成していると共に、このガイド溝の前端を拡開して挿入口２８を形成している。又、上記ガイドレール２６の外側面には、先端を左右方向に変形自在な遊端とし、かつガイドレールに平行して軸方向に延びる複数の弾力性を有する弾性片２９，３０を一体成形していると共に、上記載置部２０に接する載置面３１に上記係入孔２２，２３に係入する係入片３２，３３と、挿入孔２４，２５内に係入する係入片３４，３５を一体形成している。
【００１５】
更に、上記係入片３２，３３の下端には上記係入孔２２，２３の横幅寸法よりも広い抜止片３６・・を一体形成し、係入片３２，３３を係入孔２２，２３内に係入時に、例えば挿入口２８内に磁気カードを挿入した状態で上方向に持ち上げる等、上方向の力が加わってもガイドレール２６が載置部２０より外れない様に構成している。
【００１６】
又、上記弾性片２９，３０の先端３７，３８は、上記支持フレーム６ａの外側面に固定した回路基板３９，４０に弾接する様に構成し、回路基板を弾性片２９，３０の当板として利用することで、部品点数の削減を計る事が出来、かつ何らかの理由により弾性片２９，３０がガイドレール２６に当接する程、このガイドレールが外側に押圧されても、回路基板３９，４０の弾力を利用してこれを吸収する事が出来るものである。
【００１７】
これらの構成により、スプリング等の別部品を用いることなく、ガイドレール２６をガイドレール自身により内側に向けて付勢する様に構成したことで、ガイドレールのみ支持フレームに装着すれば良く、組立て時の作業性を大幅に向上させる事が出来るものである。
【００１８】
尚、上記ガイドレール２６の装着に際しては、中央部分をわずかに上方向に持ち上げて湾曲させた状態にて、係入片３２，３３を係入孔２２，２３内に内側の開口部分より横方向に係入した後、係入片３４，３５を挿入孔２４，２５内に上方から挿入し、次いで回路基板３９，４０を支持フレーム６ａ外側面の所定位置に固定することで、簡単かつ確実に装着出来るものである。
【００１９】
これらの構成により、ガイドレール２６自身と支持フレーム６ａとの係合のみで、ガイドレールを左右方向に摺動可能な状態で支持フレームに装着する様に構成出来、組立て時の作業性向上や、部品点数の削減を計る事が出来るものである。
【００２０】
又、上記ガイドレール２６を支持フレーム６ａに装着後、この支持フレームの外側面に上記回路基板３９，４０を図示しないビス等により固定することで、ガイドレール２６の弾性片２９，３０先端３７，３８がこれら回路基板の内面に当接してガイドレール２６の外側方向への脱落を防止すると共に、何らかの原因によって弾性片２９，３０の湾曲範囲を超える負荷がわずかに加わった場合には、回路基板３９，４０が自身の弾性力により変形してこれを吸収し、ガイドレール２６の破損を防止する事が出来るものである。
【００２１】
４１は上記支持フレーム６ｂの載置部２１に着脱自在に装着した樹脂製のガイドレールで、上記ガイドレール２６のガイド溝２７に対向位置して磁気カードを案内して搬送するガイド溝４２を一体成形していると共に、図４にても示す様に載置部２１に接する載置面４３に、図５にて示す様に上記載置部２１に穿孔された係入孔４４，４５に係入する複数の係入片４６，４７を一体に形成している。又、上記係入孔４４，４５は内側を開口した切欠き溝状に形成していると共に、上記係入片４６，４７の先端に係入孔４４，４５の横幅寸法よりも広い抜止片４８・・を一体形成し、これら係入片４６，４７を内側より係入孔４４，４５内に係入すると、抜止片４８・・により上方へは抜けない様に構成している。
【００２２】
更に、上記ガイドレール４１の載置面４３には、上記載置部２１の内側端部と、載置部２１の略中間位置に穿孔した係止孔４９の孔縁に各々係止する係止爪５０，５１と、載置部２１の適所に穿孔した複数の嵌入孔５２・・内に嵌入する複数の突起５３・・とを一体形成し、かつ上記ガイド溝４２の前端部には、磁気カードを挿入する挿入口５４を拡開形成している。
【００２３】
一方、上記ガイドレール４１の載置部２１への装着に際しては、中央付近をやや持ち上げた状態にて係入片４６，４７を内側より係入孔４４，４５内に係入した後、中央付近を押えて係止爪５０，５１を載置部２１の内端部と係止孔４９の孔縁に係合することで、簡単かつ確実に固定出来るものである。
【００２４】
尚、磁気カードをガイドレール２６，４１のガイド溝２７，４２内に挿入して搬送時には、磁気カードの搬送位置に応じてガイドレール２６が外側に僅かに移動して弾性片２９，３０の先端３７，３８が回路基板３９，４０に当接した後、弾性片２９，３０が自身の弾力により変形して、磁気カードをガイドレール４１のガイド溝の底に押し当てる様に付勢し、これにより、磁気カードをガイドレール４０に沿って直線的に搬送する。
【００２５】
更に、磁気カードの一部をガイドレール２６，４１の挿入口２８，５４に挿入した状態で、何らかの理由により上方向への負荷が加わった場合には、係入片３２，４６の先端に形成した抜止片３６，４８によりガイドレール２６，４１の変形による破損や脱落を確実に防止するものである。
【００２６】
【発明の効果】
本発明の構成により、フレームに装着した左右一対のガイドレールによって磁気カードを水平方向に搬送するものにおいて、一方のガイドレールを固定し、他方のガイドレールを自身に一体形成した弾性片にて他方のガイドレールに向けて付勢する様に構成したことで、ガイドレールをフレームに装着すれば良く、これによりガイドレールの組立て時における作業性を大幅に向上する事が出来るものである。
【００２７】
又本発明の構成により、ガイドレールに一体形成した弾性片を回路基板に当接する様に構成したことで、何らかの原因により弾性片による移動量を超える負荷が加わった場合、回路基板の弾力により吸収し、ガイドレールの破損等を防止する事が出来るものである。
【００２８】
そして又本発明の構成により、他方のガイドレールを、内側が開口した係入孔と、上面を開口した挿入孔とに各々係入する係入片との係合によりシャーシの載置部に装着する様に構成したことで、載置部の加工のみでガイドレールを簡単に装着する事が出来るものである。
【００２９】
更に本発明の構成により、ガイドレールの、磁気カードの挿入孔に最も近い位置に形成した係入片の先端に、係入孔の幅よりも広い抜止片を形成したことで、磁気カードを挿入時に、何らかの原因により上方向への負荷が加わっても、抜止片により係入片の抜けを防止し、抜けによるガイドレールの変形や破損等を防止する事が出来るものである。
【図面の簡単な説明】
【図１】本発明による実施例を示す斜視図である。
【図２】同じく要部を本体ケースより取り出した状態の斜視図である。
【図３】同じく他方のガイドレールの斜視図である。
【図４】同じく一方のガイドレールの斜視図である。
【図５】同じく要部を本体ケースより取り出した状態の斜視図である。
【符号の説明】
６    下フレーム
２２  係入孔
２３  係入孔
２４  挿入孔
２５  挿入孔
２６  ガイドレール
２８  弾性片
２９  弾性片
３２  係入片
３３  係入片
３４  係入片
３５  係入片
３６  抜止片
３９  回路基板
４０  回路基板
４１  ガイドレール
【図１】
2004157844.tif 000003
【図２】
2004157844.tif 000004
【図３】
2004157844.tif 000005
【図４】
2004157844.tif 000006
【図５】
2004157844.tif 000007